(57)【要約】【課題】ブラシの整流子に対する位置精度が向上したブラシホルダを有する電動工具を提供する。【解決手段】電動工具としてのグラインダは、ハウジング６と、ハウジング６に固定される固定子と、固定子に対して回転可能であって、整流子２９及びコイルを有する回転子２５と、整流子２９と接触可能なブラシ３０と、ネジ孔８０ａを有すると共にブラシ３０を保持するブラシ保持板金部材７０と、ネジ孔８０ａを貫通し、ハウジング６（モータハウジング１２の延設部１２ａ）に対し直接固定されるネジ９２と、を備えている。【選択図】図５
2020131315.tif 000002
【特許請求の範囲】
【請求項１】
ハウジングと、
前記ハウジングに固定される固定子と、
前記固定子に対して回転可能であって、整流子及びコイルを有する回転子と、
前記整流子と接触可能なブラシと、
ネジ孔を有すると共に前記ブラシを保持するブラシ保持板金部材と、
前記ネジ孔を貫通し、前記ハウジングに対し直接又は間接的に固定されるネジと、
を備えている
ことを特徴とする電動工具。
【請求項２】
前記ネジ孔及び前記ネジは、複数設けられている
ことを特徴とする請求項１に記載の電動工具。
【請求項３】
ハウジングと、
前記ハウジングに固定される固定子と、
前記固定子に対して回転可能であって、整流子及びコイルを有する回転子と、
前記整流子と接触可能なブラシと、
前記ブラシを前記整流子に向けて付勢する弾性体と、
前記ブラシ及び前記弾性体を保持するブラシ保持板金部材と、
を備えている
ことを特徴とする電動工具。
【請求項４】
前記弾性体は、渦巻きバネである
ことを特徴とする請求項３に記載の電動工具。
【請求項５】
ハウジング突起又はハウジング孔を直接又は間接的に有するハウジングと、
前記ハウジングに固定される固定子と、
前記固定子に対して回転可能であって、整流子及びコイルを有する回転子と、
前記整流子と接触可能なブラシと、
板金孔又は板金突起を有すると共に前記ブラシを保持するブラシ保持板金部材と、
を備えており、
前記ハウジング突起は前記板金孔に入っており、又は前記板金突起は前記ハウジング孔に入っている
ことを特徴とする電動工具。
【請求項６】
前記ハウジング突起及び前記板金孔は、複数設けられており、又は前記板金突起及び前記ハウジング孔は、複数設けられている
ことを特徴とする請求項５に記載の電動工具。
【請求項７】
前記板金孔又は前記板金突起における前記ハウジング突起又は前記ハウジング孔と反対側に、前記ブラシ保持板金部材と他の部材との接触を規制する規制部材が設けられている
ことを特徴とする請求項５又は請求項６に記載の電動工具。
【請求項８】
前記規制部材は、耐熱性樹脂製である
ことを特徴とする請求項７に記載の電動工具。
【発明の詳細な説明】
【技術分野】
【０００１】
本発明は、グラインダ等の電動工具に関する。
【背景技術】
【０００２】
特開２０１１−２３０２１１号公報（特許文献１）に示されるように、ブラシ付きモータの整流子に接触するブラシを保持するブラシホルダが知られている。
このブラシホルダ１は、箱状に折り曲げた板金製のブラシ収容部１０と、これに組み付けられた板金製のベースと、を備えている。ベースには、渦巻きばね２０を支持するばね支持部２と、ブラシホルダ固定プレート５０とが、折り曲げにより形成されている。ブラシホルダ１は、ブラシホルダ固定プレート５０の孔５１を通る１本のねじ５２により、電動ディスクグラインダのリアハウジング６２に固定されている。
【先行技術文献】
【特許文献】
【０００３】
【特許文献１】特開２０１１−２３０２１１号公報
【発明の概要】
【発明が解決しようとする課題】
【０００４】
かようなブラシホルダ１では、ブラシ収容部１０とベースとがそれぞれ別体であるため、これらの間で公差が累積したりがたつきが発生したりする可能性があり、ブラシの整流子に対する位置精度につき向上の余地がある。
そこで、本発明の主な目的は、ブラシの整流子に対する位置精度が向上したブラシホルダを有する電動工具を提供することである。
【課題を解決するための手段】
【０００５】
上記目的を達成するために、請求項１に記載の発明は、ハウジングと、前記ハウジングに固定される固定子と、前記固定子に対して回転可能であって、整流子及びコイルを有する回転子と、前記整流子と接触可能なブラシと、ネジ孔を有すると共に前記ブラシを保持するブラシ保持板金部材と、前記ネジ孔を貫通し、前記ハウジングに対し直接又は間接的に固定されるネジと、を備えていることを特徴とするものである。
請求項２に記載の発明は、上記発明において、前記ネジ孔及び前記ネジは、複数設けられていることを特徴とするものである。
請求項３に記載の発明は、ハウジングと、前記ハウジングに固定される固定子と、前記固定子に対して回転可能であって、整流子及びコイルを有する回転子と、前記整流子と接触可能なブラシと、前記ブラシを前記整流子に向けて付勢する弾性体と、前記ブラシ及び前記弾性体を保持するブラシ保持板金部材と、を備えていることを特徴とするものである。
請求項４に記載の発明は、上記発明において、前記弾性体は、渦巻きバネであることを特徴とするものである。
請求項５に記載の発明は、ハウジング突起又はハウジング孔を直接又は間接的に有するハウジングと、
前記ハウジングに固定される固定子と、前記固定子に対して回転可能であって、整流子及びコイルを有する回転子と、前記整流子と接触可能なブラシと、板金孔又は板金突起を有すると共に前記ブラシを保持するブラシ保持板金部材と、を備えており、前記ハウジング突起は前記板金孔に入っており、又は前記板金突起は前記ハウジング孔に入っていることを特徴とするものである。
請求項６に記載の発明は、上記発明において、前記ハウジング突起及び前記板金孔は、複数設けられており、又は前記板金突起及び前記ハウジング孔は、複数設けられていることを特徴とするものである。
請求項７に記載の発明は、上記発明において、前記板金孔又は前記板金突起における前記ハウジング突起又は前記ハウジング孔と反対側に、前記ブラシ保持板金部材と他の部材との接触を規制する規制部材が設けられていることを特徴とするものである。
請求項８に記載の発明は、上記発明において、前記規制部材は、耐熱性樹脂製であることを特徴とするものである。
【発明の効果】
【０００６】
本発明の主な効果は、ブラシの整流子に対する位置精度が向上したブラシホルダを有する電動工具が提供されることである。
【図面の簡単な説明】
【０００７】
【図１】本発明に係るグラインダの上面図である。
【図２】図１の縦中央断面図である。
【図３】図１の後部の開蓋斜視図である。
【図４】図３の上面図である。
【図５】図１の一部分解斜視図である。
【図６】（Ａ）及び（Ｂ）は図５のブラシホルダの斜視図であり、（Ｃ）及び（Ｄ）は図５のブラシホルダ及びブラシの斜視図である。
【図７】（Ａ）及び（Ｂ）は図５のブラシホルダにおける渦巻きバネが仮係止された場合の斜視図である。
【発明を実施するための形態】
【０００８】
以下、本発明の実施の形態及び変更例が、図面に基づいて説明される。
図１は、電動工具の一例であるグラインダ１の上面図である。図２は、グラインダ１の縦中央断面図である。図３は、グラインダ１の後部の開蓋斜視図である。図４は、グラインダ１の後部の開蓋上面図である。図５は、グラインダ１の一部分解斜視図である。
図１における左がグラインダ１の前であり、同図における上がグラインダ１の右であり、図２における左がグラインダ１の前であり、同図における上がグラインダ１の上である。尚、被加工物及び作業状況並びに部材あるいは部分の移動状況の少なくとも何れか等に応じ、方向は相対的に変化し得る。
【０００９】
グラインダ１は、前後方向に延びる本体部２と、本体部２の前側に設けられる出力部４を備えている。
本体部２ないし出力部４の外郭は、ハウジング６となっている。
ハウジング６は、後部のリヤカバー１０と、その前に配置されるモータハウジング１２と、を有している。リヤカバー１０、及びモータハウジング１２は、本体部２の外郭となっている。モータハウジング１２の後部は、リヤカバー１０の内部全体より小さい外形を有している後方への延設部分１２ａとなっており、延設部分１２ａは、リヤカバー１０内に入っている。リヤカバー１０の下部とモータハウジング１２の下部との間（ハウジング６の下部）には、開口部が設けられている。リヤカバー１０は、延設部分１２ａに形成された複数（３箇所）のネジボス部１２Ｓと、これらに対応するようにリヤカバー１０に形成されたネジ孔１０Ｓとにネジ（図示略）が通されることで、モータハウジング１２に固定されている。
又、ハウジング６は、モータハウジング１２の前に配置されるギヤハウジング１４と、その下に固定されるベアリングリテーナ１６を有している。ギヤハウジング１４及びベアリングリテーナ１６は、出力部４の外郭となっている。ギヤハウジング１４の後端開口部は、モータハウジング１２の前端開口部を受け入れている。ギヤハウジング１４は、モータハウジング１２に対し、前後に延びる複数（４本）のネジ１７によって固定されている。
【００１０】
モータハウジング１２には、電動のモータ１８が保持されている。
モータ１８の回転軸であるモータ軸２０は、リヤカバー１０内からギヤハウジング１４内まで前後方向に延びており、モータ前軸受２１とモータ後軸受２２により回転可能に支持されている。モータ前軸受２１は、ギヤハウジング１４の後部内に保持されている。モータ後軸受２２は、モータハウジング１２の延設部分１２ａ内に保持されている。
モータ１８は、モータハウジング１２に固定される筒状の固定子２４と、固定子２４の内方に配置され、固定子２４に対して回転可能である回転子２５と、を有する。
固定子２４は、ステータコア２６と、これに巻かれた図示されないコイルとを有する。
回転子２５は、モータ軸２０と、モータ軸２０の周りに固定される複数のスロット付きのコア２７と、コア２７の各スロットに巻かれる複数のコイル２８と、を有する。
【００１１】
又、モータ軸２０の後端部外側であって、各コイル２８とモータ後軸受２２との間には、円筒状の整流子２９が固定されている。整流子２９は、周方向に並ぶように複数の導通部分に分かれており、各導通部分には、所定の態様で、コイル２８が電気的に接続されている。
更に、整流子２９の上下には、直方体状のカーボン製のブラシ３０が接触している。各ブラシ３０は、ブラシホルダ３１に保持されている。各ブラシホルダ３１は、モータハウジング１２の延設部分１２ａの上下において上下方向の内方へ箱状に窪むように形成されたブラシホルダ固定部１２ｂに固定されている。ブラシホルダ３１の固定は、後に詳述される。尚、ブラシ３０及びブラシホルダ３１は、３個以上設けられても良いし、上下以外の配置とされても良い。又、ブラシ３０の材質は、カーボン以外とされても良い。
【００１２】
モータハウジング１２の延設部分１２ａの上部であって、上のブラシホルダ固定部１２ｂの後側には、下方へ箱状に窪むようにコントローラ設置部１２ｃが形成されており、コントローラ設置部１２ｃには、コントローラＣが設置されている。
【００１３】
モータハウジング１２の延設部分１２ａにおけるモータ軸２０後方の側面には、スイッチ３２のスイッチ本体３２ａが固定されている。
スイッチ３２は、スイッチ本体３２ａと、その下面から下方へ突出するプランジャ３２ｂとを備えており、プランジャ３２ｂが上方へ（所定押し込み量以上）押されることでスイッチオンとなる。
スイッチ本体３２ａは、コントローラＣを介して、リヤカバー１０後部から後方に延びる電源コードＶ及びモータ１８（ブラシ３０）と電気的に接続されており、プランジャ３２ｂ（切り替え操作部）のスイッチ本体３２ａに対する押し込み状態を切り替え操作することで、モータ１８に対する電源コードＶからの給電を切り替える。
電源コードＶのリヤカバー１０側の端部の外側には、電源コードカバーＶＣが設けられている。
【００１４】
モータ軸２０の前端部には、傘歯を有するピニオン３３が設けられている。即ち、モータ１８は、出力部４に対して駆動力を伝えるピニオン３３を前に有しており、前向きに設けられている。
ピニオン３３と各コイル２８との間には、孔の開いた底部を後部とした前方に広がる碗状のバッフルプレート３４と、バッフルプレート３４の内側に配置された軸流のファン３５とが設けられている。バッフルプレート３４は、モータハウジング１２の前端開口部内に固定される。ファン３５は、モータ軸２０に、ファンスリーブ３５ａを介して固定される。尚、ファン３５は、遠心ファン等の他の形式のファンとされても良い。又、ファンスリーブ３５ａ及びバッフルプレート３４の少なくとも一方が省略されても良い。
リヤカバー１０の後面には、左右に延びる複数の排気孔１０ａが、複数、上下及び左右に並ぶように設けられている。尚、排気孔１０ａの数、大きさ、形状及び配置の少なくとも何れかは、上述のものから変更されても良い。
【００１５】
ピニオン３３は、ベベルギヤ３７に噛み合っている。ベベルギヤ３７は、スピンドル３８に固定されている。
スピンドル３８は、モータ軸２０と略９０°の角度を有するよう、上下方向を向くように配置されている。即ち、スピンドル３８（出力部４の出力軸）は、モータ軸２０に対して略９０°の角度を有しており、グラインダ１は、アングル工具（アングル電動工具）となっている。
スピンドル３８の上部はギヤハウジング１４内に配置され、中央部はベアリングリテーナ１６内に配置され、下部はベアリングリテーナ１６から露出している。
スピンドル３８の上端部は、ギヤハウジング１４に固定されたスピンドル上軸受４０内に入っている。スピンドル３８の中央部は、ベアリングリテーナ１６に固定されたスピンドル中軸受４２内に入っている。
スピンドル３８の下端部には、円盤状の砥石４６（先端工具）が装着される。ベアリングリテーナ１６の下部には、砥石４６の周囲（後半）に配置可能なラッパ状のホイールカバー４８が取り付けられる。
【００１６】
更に、リヤカバー１０の下部とモータハウジング１２の下部の間の開口部には、操作部材としてのパドルスイッチ５０が設けられる。パドルスイッチ５０は、本体部２の操作可能な外郭となっている。パドルスイッチ５０は、モータ１８のスイッチ３２の切替を行う。
パドルスイッチ５０は、グリップ部５２と、連動部５３と、ロック部５４と、を備えている。
【００１７】
グリップ部５２は、前後方向に延び左右方向に湾曲する杓子状のグリップ基部５５と、その前端部に配置された支点部５６と、その後方において上下方向に貫通するように開口するロック部用開口部５８と、を有している。
支点部５６は、モータハウジング１２に対して左右方向の軸周りで回転可能に支持されており、グリップ部５２が前端部の支点部５６の周りで揺動（回転移動）可能となっている。尚、グリップ部５２は、約１０°程度の移動範囲を有している。
グリップ部５２の下部は、ハウジング６下部の開口部から露出している。
連動部５３は、板状であり、リヤカバー１０の下部であってスイッチ３２の下側において、前後左右に広がるように配置されている。連動部５３の後端部内に開けられた左右方向の孔には、シャフト６０が通されており、連動部５３は、シャフト６０の周りで揺動可能となっている。
連動部５３の前端部は、グリップ部５２（グリップ基部５５）の上面後端部に接触可能である。
【００１８】
グリップ部５２が、作業者の手により、支点部５６の周りで、図２の位置（最下方位置）から上方に回転移動されると、連動部５３がグリップ部５２に押されることでグリップ部５２と連動してシャフト６０の周りでの回転移動がなされ、スイッチ３２のプランジャ３２ｂに達してプランジャ３２ｂを上方へ押す。プランジャ３２ｂが（所定押し込み量以上）上方に押されると、スイッチ３２がオンとなり、モータ１８へ給電される。
他方、作業者の手が離れたグリップ部５２は、上下に延びる弾性体（図示略）を具備したプランジャ３２ｂによる付勢及び重力により、最下方位置に戻る。これにより、スイッチ３２がオフとなり、モータ１８への給電が停止される。
即ち、パドルスイッチ５０は、上下方向に移動操作可能であり、モータ軸２０と交わる（直交する）方向に移動操作可能であって、その移動によりモータ１８のスイッチ３２を切り替える。
【００１９】
ロック部５４は、非操作時（図２）に上下に延びて起立姿勢となる棒状の部材であり、グリップ部５２のロック部用開口部５８に対し、左右方向の軸６２を介して回転可能に取り付けられている。ロック部５４とロック部用開口部５８とには、図示されないねじりバネが介装されている。
非操作時、ロック部５４は、ロック部用開口部５８から上下に突出しており、上端部がモータ１８の外面に隣接することで、グリップ部５２の上方への移動を阻止し、モータ１８のスイッチ３２がオンとなることを防止している。
これに対し、作業者によりロック部５４の下部がねじりバネの付勢力に抗して回転操作されて、ロック部５４がロック部用開口部５８内で前後方向となってグリップ部５２に沿う（倒伏姿勢をとる）ようにされると、ロック部５４がグリップ部５２の上方への移動を食い止めることがなくなる。よって、作業者がそのままグリップ部５２を握ることで、パドルスイッチ５０を介してモータ１８のスイッチ３２をオンとすることが可能となる。
【００２０】
以下、上のブラシホルダ３１及びブラシホルダ固定部１２ｂが更に説明される。下のブラシホルダ３１及びブラシホルダ固定部１２ｂは、上のブラシホルダ３１及びブラシホルダ固定部１２ｂと同様に成る。
図６にも示されるように、ブラシホルダ３１は、ブラシ３０を保持するブラシ保持板金部材７０と、規制部材としてのストッパ７２（スペーサ）と、渦巻きバネ７４と、ブラシ３０に接触する導通板金部材７６と、を有する。
尚、図６（Ａ），（Ｂ）において、ブラシ保持板金部材７０と導通板金部材７６との区別がつき易くするため、導通板金部材７６にハッチングが施されている。
【００２１】
ブラシ保持板金部材７０は、１枚の平坦な板金を折り曲げることで形成されたものであり、前後左右に延びるベース部８０と、ベース部８０の左前下に配置されており上下及び後方に開放された箱状のケース部８２と、ベース部８０の左後部から左方、下方、前方及び左方に突出する渦巻きバネ保持部８４と、を有する。
ベース部８０は、前後に並ぶ複数（２箇所）のネジ孔８０ａと、前後に並ぶ複数（２箇所）のピン孔８０ｂ（板金孔）と、を有している。これに対し、ブラシホルダ固定部１２ｂには、各ネジ孔８０ａに対応するネジボス９０と、各ピン孔８０ｂに対応するように上方に突出したハウジング突起としてのピン９１と、が設けられている。
ケース部８２は、ブラシ３０を収めることで、ブラシ３０を保持する。
ブラシ保持板金部材７０は、各ピン孔８０ｂにブラシホルダ固定部１２ｂの対応するピン９１が入れられた状態で、一対のネジ孔８０ａ及びブラシホルダ固定部１２ｂのネジボス９０にネジ９２が入れられることで、モータハウジング１２の延設部分１２ａのブラシホルダ固定部１２ｂに固定される。
【００２２】
ストッパ７２は、耐熱性樹脂製のブロックであり、一方（前方）のネジ孔８０ａの上側即ちピン９１と反対側に配置されていて、ベース部８０に対して固定され、ベース部８０の上面から上方に突出している。ストッパ７２の前後方向における中央部は、他の部分に対して括れた括れ部７２ａとなっている。括れ部７２ａの下方に、前方のネジ孔８０ａが配置されている。
ピン９１の高さは、ベース部８０の肉厚（ピン孔８０ｂの深さ）程度であり、より詳しくはベース部８０の肉厚より僅かに大きくなっている。ピン９１は、ストッパ７２（括れ部７２ａ）に接触するか、あるいはストッパ７２から離れている。
モータ１８の作動時、ブラシ３０及びブラシホルダ３１は熱を持つところ、ストッパ７２は、ブラシ３０及びブラシホルダ３１とリヤカバー１０との間に位置することで、ブラシ３０及びブラシホルダ３１とリヤカバー１０との接触を規制し、リヤカバー１０を熱から保護する。
又、ストッパ７２の前部上面には、括れ部７２ａより浅い状態で下方に窪む渦巻きバネ７４の仮係止部としての溝７２ｂが設けられている。溝７２ｂは、右前から左後への方向に延びていて前後方向に対して傾斜しており、右辺から左辺にかけて深くなるように形成されている。
尚、ストッパ７２は、形状及び大きさの少なくとも一方が変更されても良いし、複数設けられても良いし、省略されても良い。特に、渦巻きバネ７４の仮係止部は、溝７２ｂと代えられる、あるいは溝７２ｂと共に設けられる、上方に起立するリブ等とされても良い。
【００２３】
渦巻きバネ７４は、金属製であり、左右方向を中心軸として巻かれた巻き部７４ａの中心に、渦巻きバネ保持部８４の先端部が掛けられることで、ブラシ保持板金部材７０に保持されている。
又、渦巻きバネ７４は、巻き部７４ａの下部から前上方に延びるアーム部７４ｂを有している。アーム部７４ｂの前端部は、ブラシ保持板金部材７０に保持されたブラシ３０の上面を下方に付勢する。尚、ブラシ３０のない場合に係る図６（Ａ），（Ｂ）における渦巻きバネ７４は、便宜上図６（Ｃ），（Ｄ）と同じ状態で描かれているところ、この場合において実際には弾性によりアーム部７４ｂが下がる。
渦巻きバネ７４に代えて、あるいは渦巻きバネ７４と共に、板バネ等のブラシ３０を付勢する別の弾性体（ブラシ付勢弾性体）が設けられても良い。
【００２４】
導通板金部材７６は、１枚の平坦な板金を折り曲げることで形成されたものであり、上下左右に広がるブラシ接触部７６ａと、その左辺から後方、上方及び後方に延びる端子部７６ｂと、を有する。
ブラシ接触部７６ａは、ブラシ保持板金部材７０のケース部８２に保持されたブラシ３０の後面に接触している。導通板金部材７６は、ブラシ接触部７６ａに設けられた複数（３箇所）の孔に、ケース部８２の後辺から後方へ対応するように突出した突体８２ａが入ることによって、ブラシ保持板金部材７０に係止されている。ブラシ接触部７６ａは、上中央部において、下方に凹む凹部９４を有している。凹部９４の上側あるいは凹部９４内に渦巻きバネ７４のアーム部７４ｂが配置され、ブラシ接触部７６ａとアーム部７４ｂとの干渉が回避される。
端子部７６ｂの前部上側には、上方へ突出する端子７６ｃが設けられている。図６（Ｃ），（Ｄ）に示されるように、端子７６ｃとブラシ３０との間には、短い電源線Ｗ１が配線されており、端子部７６ｂとブラシ３０とが電気的に接続される。
端子部７６ｂの後端部は、後方へ延びる端子７６ｄとされている。図６（Ｃ），（Ｄ）に示されるように、端子７６ｄとコントローラＣとの間には、電源線Ｗ２が配線されており、端子部７６ｂとコントローラＣとが電気的に接続され、更に電源線Ｗ１を介してブラシ３０とコントローラＣとが電気的に接続される。
尚、渦巻きバネ７のアーム部７４ｂのようにブラシ３０に接触する端子及びこれにつながるリード線が設置されるときのように、ブラシ３０に対する電気的な接続が他の態様で確保される場合、導通板金部材７６は省略されても良い。この場合、導通板金部材７６は、ブラシ保持板金部材７０のケース部８２の突体８２ａから取り外すだけで、ブラシ保持板金部材７０から切断することなく取り除くことができる。
【００２５】
ブラシ３０は、所定量以上すり減ったことが想定される場合、リヤカバー１０を一旦外した状態で新品に交換される。
かような交換時あるいはグラインダ１の製造時において、ブラシホルダ３１にブラシ３０が入れられる場合、図７に示されるように、ストッパ７２の溝７２ｂに渦巻きバネ７４のアーム部７４ｂの前端部が一旦係止されれば、ブラシ３０がブラシ保持板金部材７０のケース部８２に入れられる際にアーム部７４ｂが邪魔にならず、又アーム部７４ｂを一方の手で押さえつつ他方の手でブラシ３０をつまむ必要がなく、ブラシ３０が容易に収められ、ブラシ３０に係る組立性及び交換容易性が向上する。ブラシ３０のケース部８２に対する挿入後には、溝７２ｂに一時的に係止された渦巻きバネ７４のアーム部７４ｂの前端下部が、ブラシ３０の上面に接触するように簡単に戻される。
【００２６】
かようなグラインダ１は、例えば次のように動作する。
即ち、作業者は、電源コードＶを商用電源に接続し、起立しているロック部５４を倒して倒伏姿勢とすることでロックを解除しながらパドルスイッチ５０のグリップ部５２を上方に押す。すると、パドルスイッチ５０の連動部５３が上昇して、プランジャ３２ｂを（所定押し込み量以上）押し、モータ１８のスイッチ３２がオンとなる。これにより、電源コードＶからの電力が、コントローラＣ、導通板金部材７６及びブラシ３０を介して整流子２９へ供給され、回転子２５のモータ軸２０が回転する。すると、モータ軸２０のピニオン３３ないしベベルギヤ３７を通じてスピンドル３８が回転し、これに取り付けられた砥石４６が回転する。作業者は、回転する砥石４６を被加工材に当てることで研磨を施すことができる。
作業者がパドルスイッチ５０のグリップ部５２から手を離すと、グリップ部５２及び連動部５３は下方へ復帰し、プランジャ３２ｂの（所定押し込み量以上の）押し込みが解除され、モータ１８のスイッチ３２がオフとなって、モータ軸２０の回転が停止し、ベベルギヤ３７、スピンドル３８及び砥石４６の回転が停止する。ロック部５４は、ねじりバネにより、パドルスイッチ５０の押し込み操作をロックする起立姿勢に戻る。
又、モータ軸２０の回転によりファン３５が回転して、各排気孔１０ａへの空気の流れ（風）を起こす。この風により、モータ１８及びコントローラＣ等のグラインダ１の内部機構が冷却される。
【００２７】
ブラシ３０は、その保持部であるケース部８２とモータハウジング１２に対する被取付部であるベース部８０とを有する１個のブラシ保持板金部材７０で保持されているため、従来のようにハウジングへの被取付部とブラシの保持部とが別の板金部材で形成されて互いに係止し合う場合に比べ、公差の累積及びがたつきの発生が抑制され、整流子２９に対する適切な設計上の位置を維持することができる。
又、ブラシ３０は、モータ軸２０の回転時間の蓄積により、整流子２９側の面においてすり減ったとしても、当該面の対向面を付勢する渦巻きバネ７４により、整流子２９との接触が維持される。渦巻きバネ７４は、その取付部である渦巻きバネ保持部８４とモータハウジング１２に対する被取付部であるベース部８０とを有する１個のブラシ保持板金部材７０で保持されているため、ブラシ３０と同様に、適切な設計上の位置を維持することができる。
更に、ブラシ保持板金部材７０のベース部８０の各ピン孔８０ｂに、モータハウジング１２のブラシホルダ固定部１２ｂの対応するピン９１が入るので、ブラシ保持板金部材７０のモータハウジング１２に対する設計上の位置がより一層確実に維持されて、ブラシ３０及び渦巻きバネ７４の位置がより一層適切に維持される。
【００２８】
以上のグラインダ１は、ハウジング６と、ハウジング６に固定される固定子２４と、固定子２４に対して回転可能であって、整流子２９及びコイル２８を有する回転子２５と、整流子２９と接触可能なブラシ３０と、ネジ孔８０ａを有すると共にブラシ３０を保持するブラシ保持板金部材７０と、ネジ孔８０ａを貫通し、ハウジング６（モータハウジング１２の延設部分１２ａ）に対し直接固定されるネジ９２と、を備えている。よって、ネジ９２で止められるネジ孔８０ａを有する１個のブラシ保持板金部材７０がブラシ３０を保持することとなり、ブラシ３０の整流子２９に対する位置精度が向上したブラシホルダ３１を有するグラインダ１が提供されることとなる。
又、ネジ孔８０ａ及びネジ９２は、複数設けられている。よって、ブラシ保持板金部材７０の固定時の位置精度が更に良好となり、ブラシ３０の整流子２９に対する位置精度が更に向上する。
【００２９】
更に、グラインダ１は、ハウジング６と、ハウジング６に固定される固定子２４と、固定子２４に対して回転可能であって、整流子２９及びコイル２８を有する回転子２５と、整流子２９と接触可能なブラシ３０と、ブラシ３０を整流子２９に向けて付勢する渦巻きバネ７４と、ブラシ３０及び渦巻きバネ７４を保持するブラシ保持板金部材７０と、を備えている。よって、ブラシ３０と、ブラシ３０を整流子２９に向けて付勢する渦巻きバネ７４とが、位置精度が向上した状態でハウジング６に固定される。
【００３０】
又、複数のピン９１を直接有するハウジング６と、ハウジング６に固定される固定子２４と、固定子２４に対して回転可能であって、整流子２９及びコイル２８を有する回転子２５と、整流子２９と接触可能なブラシ３０と、複数のピン孔８０ｂを有すると共にブラシ３０を保持するブラシ保持板金部材７０と、を備えており、ピン９１はピン孔８０ｂに入っている。よって、ブラシ保持板金部材７０が精度良くハウジング６に固定され、ブラシ３０の整流子２９に対する位置精度が良好なブラシホルダ３１を有するグラインダ１が提供される。
更に、ピン９１及びピン孔８０ｂは、複数設けられている。よって、ブラシ保持板金部材７０の固定時の位置精度が更に良好となり、ブラシ３０の整流子２９に対する位置精度が更に向上する。
又更に、ピン孔８０ｂにおけるピン９１と反対側に、ブラシ保持板金部材７０と他の部材との接触を規制するストッパ７２が設けられている。よって、他の部材をブラシ保持板金部材７０の接触から保護するストッパ７２が、コンパクトに設けられる。
加えて、ストッパ７２は、耐熱性樹脂製である。よって、ブラシ３０の整流子２９に対する摺動によりブラシ３０が発熱してブラシ保持板金部材７０が熱を帯びても、他の部材がブラシ保持板金部材７０の熱から保護される。
【００３１】
尚、本発明は、上記形態に限定されるものではない。例えば、上記形態及び変更例は、次にそれぞれ示す変更例を、更に適宜有する。
ネジ孔８０ａ及びネジ９２は、１対設けられても良いし、３対以上設けられても良い。
ピン孔８０ｂ及びピン９１は、１対設けられても良いし、３対以上設けられても良い。
ブラシ保持板金部材７０を固定するネジ９１は、ハウジング６に保持されるボックス等の他の部材に対して固定されることで、ハウジング６に対して間接的に固定されても良い。又、ピン９１がハウジング６に保持されるボックス等の他の部材に設けられることで、ハウジング６はピン９１を間接的に具備していても良い。これらの場合であっても、他の部材（固定先）に対するブラシ保持板金部材７０の位置精度が良好となる。
ブラシ保持板金部材７０のピン孔８０ｂに代えて小片の折り曲げ等により形成された板金突起が設けられると共に、ハウジング６のピン９１に代えて板金突起が進入可能なハウジング孔が設けられるようにして、ブラシ保持板金部材７０は、ハウジング６に対する固定時に、板金突起のハウジング孔への進入により位置決めされるようにしても良い。ピン孔８０ｂ及びピン９１、並びに板金突起及びハウジング孔が並設されていても良い。
【００３２】
パドルスイッチ５０において、連動部５３が省略され、グリップ部５２によってスイッチ３２が切り替えられても良い。又、ロック部５４は、電気的なロックスイッチの設置等の他の形式とされても良いし、省略されても良い。グリップ部５２の支点部５６は、グリップ基部５５の後端部に配置されても良く、又リヤカバー１０に支持されても良い。パドルスイッチ５０とハウジング６あるいはモータ１８等との間に、パドルスイッチ５０を最下方位置に復帰させるための復帰用弾性体が別途設けられても良い。
ハウジング６は、区分の数、大きさ及び形状の少なくとも何れか等について様々に変更可能であり、例えば、リヤカバー１０及びモータハウジング１２の少なくとも一方が左右の半割とされても良いし、モータハウジング１２、ギヤハウジング１４及びベアリングリテーナ１６の少なくとも何れかが共通化されていても良い。
各種の軸受が他の形式の軸受とされたり、モータ１８のスイッチ３２がプランジャ３２ｂの押し込み量に応じてモータ軸２０の速度を変える（例えば押し込み量が大きいほどモータ軸２０を速く回転させる）ものとされたり、モータ軸２０とスピンドル３８との間に１以上の中間軸が挿入されたり、各種のコイルが永久磁石とされたりする等、各種の機構、部材、部分の形状、材質、設置数等が適宜変更されても良い。
又、本発明は、電池駆動のもの、スピンドル３８（出力部４）とモータ軸２０が同じ方向を向くもの、あるいはサンダ等、他の種類の電動工具に適用することもできるし、クリーナ、あるいはブロワに適用することもできるし、芝刈機、園芸用トリマ等の園芸工具に適用することもできる。
【符号の説明】
【００３３】
１・・グラインダ（電動工具）、６・・ハウジング、１８・・モータ、２０・・モータ軸、２４・・固定子、２５・・回転子、２８・・コイル、２９・・整流子、３０・・ブラシ、３１・・ブラシホルダ、７０・・ブラシ保持板金部材、７２・・ストッパ（規制部材）、７４・・渦巻きバネ（弾性体）、８０ａ・・ネジ孔、８０ｂ・・ピン孔（板金孔）、９１・・ピン（ハウジング突起）、９２・・ネジ。
【図１】
2020131315.tif 000003
【図２】
2020131315.tif 000004
【図３】
2020131315.tif 000005
【図４】
2020131315.tif 000006
【図５】
2020131315.tif 000007
【図６】
2020131315.tif 000008
【図７】
2020131315.tif 000009